(57)【要約】      （修正有）【課題】工具の非使用時に工具連結用索具の折り返し箇所が湾曲しないようにして、湾曲部分が突起物や鈎状部材等に引っ掛かる危険をなくした工具連結用索具を提供する。【解決手段】長尺の伸縮体２に被覆体３を被せた柔軟性と伸縮性を有する紐状体４と、紐状体の両端側に固定された一対の連結具５，６とからなる工具連結用索具１において、紐状体を折り返した際の折り返し部分７に、折り返し部分が湾曲状とならずに重なり合うように紐状体の折り返し部分を重ね合わせて一体的に固着した折返し片部からなる折重ね構造部１０が設けられている。【選択図】図１
0003188575.tif 000002
【実用新案登録請求の範囲】
【請求項１】
長尺の伸縮体に被覆体を被せた柔軟性と伸縮性を有する紐状体と、該紐状体の両端側に固定された一対の連結具とからなる工具連結用索具において、
紐状体を折り返した際の折り返し部分に、折り返し部分が湾曲状とならずに重なり合うように折重ね構造部が設けられていることを特徴とする工具連結用索具。
【請求項２】
折重ね構造部が、紐状体の折り返し部分を重ね合わせて一体的に固着した折返し片部からなっていることを特徴とする請求項１に記載の工具連結用索具。
【請求項３】
折重ね構造部が、折り返し部分で紐状体が二分され、二分された紐状体の間に環状体またはヒンジ体が介設されており、二分された紐状体が直線状に伸びる展開姿勢と折重ね構造部と連結された部分が重なり合う折り返し姿勢とに変位可能に連結されていることを特徴とする請求項１に記載の工具連結用索具。
【請求項４】
折重ね構造部が、折り返し部分で紐状体が二分され、二分された紐状体の間に環状体が介設され、該環状体に紐状体の分断された端部が摺動可能に連結していることを特徴とする請求項１に記載の工具連結用索具。
【請求項５】
折返し片部の重ね合わされた面の少なくとも一方の面に識別要素が施され、または重ね合わされた面の間に別体のシートからなる識別要素を挟んで折返し片部が固着されており、所定以上の負荷がかかると折返し片部の固着個所が離れて前記識別要素が露出しうるようになっていることを特徴とする請求項２に記載の工具連結用索具。
【考案の詳細な説明】
【技術分野】
【０００１】
この考案は、高い作業現場などで、作業員の身体から工具が離れてしまった際に、工具の落下を防止するために使用する工具連結用索具の改良に関する。
【背景技術】
【０００２】
工具連結用索具として、従来、例えば実用新案登録第３１５６５０４号の工具用安全策具や、特開２０１２−２４８７０号の工具用安全索具や、特開２０１２−２００３１０号のランヤードなどが提案されている。
これらは、いずれも作業範囲に余裕をもって届く範囲の長さで伸縮自在なスプリングに可撓性を有する被覆体を被せ、その両端をフックやリングに連結した構成からなっている。
しかし、工具連結用索具は、通常の場合、一端側が作業者のベルト等に係止され、他端側は工具に連結されている。
また、作業者が上記工具を使用しない場合には、作業者のベルト等に取り付けたホルダ内に工具を収納している。
そのため、前記工具の非使用時には、工具連結用索具は中途箇所で折り返されることになるが、工具連結用索具はスプリングを芯として被覆体に内蔵しているので、スプリングの弾性力に抗して折り返されるため、下端となる折り返し箇所が弾発力でＵ字状に大きく湾曲していた。
そこで、作業員が高所の現場で歩く場合などに、前記湾曲部分が現場にある突起物や鈎状部材等に引っ掛かるおそれがあり大変に危険であった。
【先行技術文献】
【特許文献】
【０００３】
【特許文献１】実用新案登録第３１５６５０４号公報
【特許文献２】特開２０１２−２４８７０号公報
【特許文献３】特開２０１２−２００３１０号公報
【考案の概要】
【考案が解決しようとする課題】
【０００４】
この考案は上記事情に鑑みて創案されたものであって、その主たる課題は、工具の非使用時に工具連結用索具を折り返す場合に、折り返し箇所が湾曲しないように折り返すことができる工具連結用索具を提供することにある。
【課題を解決するための手段】
【０００５】
本考案は、上記課題を解決するために、請求項１の考案では、
長尺の伸縮体に被覆体を被せた柔軟性と伸縮性を有する紐状体と、該紐状体の両端側に固定された一対の連結具とからなる工具連結用索具において、
紐状体を折り返した際の折り返し部分に、折り返し部分が湾曲状とならずに重なり合うように折重ね構造部が設けられていることを特徴とする。
請求項２の考案では、
折重ね構造部が、紐状体の折り返し部分を重ね合わせて一体的に固着した折返し片部からなっていることを特徴とする。
請求項３の考案では、
折重ね構造部が、折り返し部分で紐状体が二分され、二分された紐状体の間に環状体またはヒンジ体が介設されており、二分された紐状体が直線状に伸びる展開姿勢と折重ね構造部と連結された部分が重なり合う折り返し姿勢とに変位可能に連結されていることを特徴とする。
請求項４の考案では、
折返し片部の重ね合わされた面の少なくとも一方の面に識別要素が施され、または重ね合わされた面の間に別体のシートからなる識別要素を挟んで折返し片部が固着されており、所定以上の負荷がかかると折返し片部の固着個所が離れて前記識別要素が露出しうるようになっていることを特徴とする。
【考案の効果】
【０００６】
紐状体の折り返し部分に形成された折重ね構造部が、折り返し部分を重ね合わせて一体的に固着した折返し片部、または、折り返し部分で紐状体が二分され、二分された紐状体の間に環状体が介設され、該環状体に紐状体の分断された端部が摺動可能に連結する構造からなっているので、工具連結用索具を折り返す場合に紐状体の折り返し個所が湾曲状とならずに重なり合うので、作業員が高所の現場を歩く場合であっても、現場にある突起物等に引っ掛かることがなく、安全性が高い。
【図面の簡単な説明】
【０００７】
【図１】実施例１の工具連結用索具の展開状態の斜視図である。
【図２】実施例１の工具連結用索具の折り返し状態の斜視図である。
【図３】実施例２の工具連結用索具の展開状態の斜視図である。
【図４】実施例２の工具連結用索具の折り返し状態の斜視図である。
【図５】実施例３の工具連結用索具の斜視図である。
【図６】（ａ）は実施例３の折返し片部で所定以上のストレスがかからずに識別要素が隠蔽された状態の斜視図、（ｂ）は所定以上のストレスがかかって折返し片部の固着個所が一部外れて識別要素が露出した状態の斜視図である。
【考案を実施するための形態】
【０００８】
以下に、この考案の工具連結用索具の好適実施例について図面を参照しながら説明する。
【実施例１】
【０００９】
実施例１の工具連結用索具１は、長尺の伸縮体２に被覆体３を被せた柔軟性と伸縮性を有する紐状体４と、該紐状体４の両端側に固定された一対の連結具５、６とからなっている。
ここで、伸縮体２は従来のフレキシブル伸縮ロープ体、例えば、複数の単フレキシブル伸縮線体を束ねて構成したものでもよいし、コイルスプリングであってもよい。
【００１０】
被覆体３は、布で作られた蛇腹状の円筒体であり、前記伸縮体２の外周に被覆されている。
この被覆体３の折縁部は蛇腹状に折り曲げられて複数の皺が形成されており、伸縮体２の伸びや縮みに追従して上記皺の幅が伸縮して変化するよう構成されている点は従来と同様である。
【００１１】
一対の連結具５、６は、作業員側連結具５と工具側連結具６とからなって、紐状体４の両側に連結される。
本実施例では、紐状体４の両側に前記連結具５、６が連結される。
ここで、被覆体３の強度は伸縮体２よりも強いので、少なくとも被覆体３の端部は前記連結具５、６に連結されることが好ましいが、この考案では、伸縮体２のみ、または伸縮体２と被覆体３の両方が連結具５、６に連結されるものでもよい。
【００１２】
前記作業員側連結具５と工具側連結具６とは、例えば、カラビナ形状のフック体や、リングなどの連結金具を用いてもよい。
また、工具側連結具６は、図示しないが、被覆体３から延出したバンドで輪を作って工具に巻き付けバンドに固定されたリング状のバックルに通して工具を緊締する構造、その他の公知の連結バンド構造を用いてもよい。
【００１３】
工具の非使用時には、作業員のベルトに連結された工具用ホルダーに収納されるので、前記紐状体４は、長手方向の中途個所で折り返され、該折り返し部分７が湾曲状とならずに重なり合う折重ね構造部１０が設けられている。
折り返し部分７は、本実施例の場合、工具連結用索具１の使用状態で、工具の非使用時に折り返された際に最下位置ないしその近傍に設定される。
そして、本実施例の折重ね構造部１０は、紐状体４の中途位置に予め設定した折り返し部分７を所定の長さで重ね合わせて一体的に固着して折返し片部１１としている。
その際に、折返し片部１１における伸縮体２は、１８０度に折り曲げているが、予め伸縮体２の折返し片部１１に対応する個所は伸縮性を持たさなくしてもよい。
【００１４】
本実施例では、折返し片部１１を紐状体４の長手方向のほぼ中央に設けたが、いずれか一方に偏った位置に形成してもよい。
折返し片部１１は、前述のように、紐状体４を中途個所で折り返し、折り返された箇所を重ね合わせて所定の長さとして固着している。
【００１５】
固着方法は、重ね合わせた箇所を縫合し、接着し、または固定金具で固着するなどの適宜の固定手段を用いることができる。
上記折返し片部１１は、一体的に固定されればよく、折返し片部１１は、伸縮可能に固定されるものでも、または伸縮しないように固定されるものでもよい。
【００１６】
このようにすることで、紐状体４は、折返し片部１１において直線状に重なり合うので、折返し片部１１に連なる前後の紐状体４の部分（説明の便宜上、４Ａ、４Ｂとする）は、図２に示すように折返し片部１１に倣って略直線状に伸びるので、折り返された工具連結用索具１の紐状体４Ａ、４Ｂの間に、現場の突起物等が引っ掛かることがない。
【００１７】
また、作業員から工具が意図せずに離れた場合には、作業員と工具の間を繋ぐ工具連結用索具１が直線状に引き延ばされる。
この際、折返し片部１１は、工具連結用索具１の垂下する紐状体４に対して直交方向に突出するが、折返し片部１１を除く紐状体４は工具の自重で引っ張られて直線状に延びるので、工具は所定の距離まで落下したら中空位置に停止して、下方にいる人や物に衝突しない。
【００１８】
次に、工具の非使用時には、工具を作業員のベルト等に取り付けた工具ホルダー（図示せず）に収納することで、工具が邪魔にならず、作業を遂行することができる。
この際に工具連結用索具１は折り返されるが、実施例１の工具連結用索具１では、折返し片部１１が最下位置となって鉛直姿勢となり、該折返し片部１１に連接される紐状体４は、重なり合う折返し片部１１にガイドされて相互に接近した状態で略直線状に延出するので、折り返し個所に湾曲形状が形成されることがなく、現場の突起物等に引っ掛かることも無く、安全である。
【実施例２】
【００１９】
図３〜４に示す実施例２の工具連結用索具１は、長尺の伸縮体２に被覆体３を被せた柔軟性と伸縮性を有する紐状体４と、該紐状体４の両端側に固定された一対の連結具５、６とからなっており、紐状体４が折り返し個所で二分されている（説明の便宜上、４Ａ’、４Ｂ’とする）。
そして、上記二分された紐状体４Ａ’、４Ｂ’の間に、リング等の環状体２１が介設され、該環状体２１に前記紐状体４Ａ’、４Ｂ’の分断された端部が摺動可能に連結されている。
【００２０】
本実施例で伸縮体２は、合成樹脂で被覆されたワイヤをコイル状に捲回したカールコードからなっており、被覆体３は蛇腹状の布製カバーからなって、カールコードを覆っており、紐状体となっているが、実施例１と同様の構成でもよい。
この紐状体は、長手方向の中途位置で二分されて、一対の紐状体４Ａ’、４Ｂ’となっている。
【００２１】
上記一対の紐状体４Ａ’、４Ｂ’は、それぞれ外方の端部側に、前記実施例１と同様に作業員側連結具５と工具側連結具６とが連結される。
そして、二分された一対の紐状体４Ａ’、４Ｂ’の間に、環状体２１が介設され、該環状体２１に一対の紐状体４Ａ、４Ｂの分断された端部が摺動可能に連結している。
【００２２】
図示例では、一対のの紐状体４Ａ’、４Ｂ’の分離された側の端部にループやスリーブを形成し、環状体２１の枠を入り込ませて、紐状体４Ａ’、４Ｂ’の端部が環状体２１に摺動可能に結合されている。
その他の構成は前記実施例１と同様であるので、同一構成には同一の符号を付してその説明を省略する。
【００２３】
実施例２では、工具連結用索具１の一対の紐状体４Ａ、４Ｂが、環状体を中継個所として、工具の自重で引っ張られて直線状に延びるので、この場合も、工具は所定の距離まで落下したら中空位置に停止して、下方にいる人や物に衝突しない。
【００２４】
また、工具の非使用時には工具連結用索具１は折り返されるが、環状体２１が最下位置で鉛直姿勢となり、該環状体２１に連接される一対の紐状体４Ａ、４Ｂは、環状体２１に沿って上方に摺動するので、環状体２１にガイドされて相互に接近した状態で略直線状に延出する（図４参照）ため、実施例１と同様に、折り返し個所が現場の突起物等に引っ掛かることも無く、安全である。
【実施例３】
【００２５】
図５に示す折重ね構造部１０は、前記実施例２の環状体に替えて、２つ折り可能に蝶着されたヒンジ部３１を一対の紐状体４Ａ”、４Ｂ”の間に介設するものでもよい。
ここで紐状体４Ａ”、４Ｂ”は実施例１の紐状体を二分して端部をヒンジ部３１の一対の片にそれぞれ連結した構造を示す。
これにより、紐状体４Ａ”、４Ｂ”の端部がヒンジ体３１に固定されていても、折り返しに際してヒンジ体３１が平面状の展開姿勢（図中点線で示す位置）から、重なり合う重合姿勢に屈曲変位するので、そのまま紐状体４Ａ’、４Ｂ’も連動して重なり合うことができる。
その他の構成は前記実施例と同様であるので、説明を省略する。
【実施例４】
【００２６】
実施例４の工具連結用索具１は、実施例１の折返し片部１１を改良した構造からなっている。
折返し片部１１は、前述のように、紐状体４の中途位置に予め設定した折り返し部分４ａを所定の長さで重ね合わせて一体的に固着した構成からなっている。
本実施例の折返し片部１１は、重ね合わされて固着する紐状体４の間に、通常では露出しない個所に識別子８を設けている。
【００２７】
識別子８は、重ね合わされて固着する紐状体４の間に、赤色などの目立つ色彩や模様の識別要素を有するシートを介設するもの、あるいは紐状体４の重なり合う面の一方または双方の面に前記目立つ色彩や模様などの識別要素を形成しておく。
【００２８】
これにより、工具連結用索具１に所定の荷重がかかると、前記折返し片部１１の重合部分が端から変形したり、固着部分が剥がれて前記識別子が外から視認できる程度に露出するので、作業者等は工具連結用索具１に所定以上の大きな荷重が加わっていることを容易に目視することができ、工具連結用索具１にかかっている荷重の判定手段として用いることができる。
【００２９】
尚、この考案は上記実施例に限定されるものではなく、この考案の要旨を変更しない範囲で種々設計変更しうること勿論である。
【符号の説明】
【００３０】
１    工具連結用索具
２    伸縮体
３    被覆体
４    紐状体
５    作業員側連結具
６    工具側連結具
７    折り返し部分
８    識別子
１０    折重ね構造部
１１    折返し片部
１２    識別子
２１    環状体
３２    ヒンジ体
【図１】
0003188575.tif 000003
【図２】
0003188575.tif 000004
【図３】
0003188575.tif 000005
【図４】
0003188575.tif 000006
【図５】
0003188575.tif 000007
【図６】
0003188575.tif 000008